(57)【要約】【課題】  この発明は、テレビが無い場所においても、撮像画像を大勢で同時に鑑賞することができるようになるデジタルカメラ用クレードルを提供することを目的とする。【解決手段】  デジタルカメラが載せられた状態でデジタルカメラをＰＣに接続したり、デジタルカメラの充電を行ったりする機能を備えているデジタルカメラ用クレードルにおいて、デジタルカメラ用クレードルにプロジェクタが一体化されており、かつデジタルカメラがデジタルカメラ用クレードルが載せられた状態で、デジタルカメラと上記プロジェクタとを電気的に接続するための回路がデジタルカメラ用クレードルに設けられている。【選択図】  図４
2006042000.tif 000002
【特許請求の範囲】
【請求項１】
デジタルカメラが載せられた状態でデジタルカメラをＰＣに接続したり、デジタルカメラの充電を行ったりする機能を備えているデジタルカメラ用クレードルにおいて、
デジタルカメラ用クレードルにプロジェクタが一体化されており、かつデジタルカメラがデジタルカメラ用クレードルに載せられた状態で、デジタルカメラと上記プロジェクタとを電気的に接続するための回路がデジタルカメラ用クレードルに設けられていることを特徴とするデジタルカメラ用クレードル。
【請求項２】
デジタルカメラと、デジタルカメラが載せられた状態でデジタルカメラをＰＣに接続したり、デジタルカメラの充電を行ったりする機能を有するデジタルカメラ用クレードルとを備えたデジタルカメラシステムにおいて、
デジタルカメラ用クレードルにプロジェクタが一体化されており、かつデジタルカメラがデジタルカメラ用クレードルに載せられた状態で、デジタルカメラと上記プロジェクタとを電気的に接続するための回路がデジタルカメラ用クレードルに設けられていることを特徴とするデジタルカメラシステム。
【請求項３】
デジタルカメラがデジタルカメラ用クレードルに載せられた状態において、ユーザ操作に基づいて、デジタルカメラの動作モードを、デジタルカメラに記録されている映像をプロジェクタによって投射させるプロジェクタ表示モードに移行させるための手段、およびデジタルカメラの動作モードがプロジェクタ表示モードに移行せしめられたときには、プロジェクタの明るさとフォーカスとを自動調整させる調整手段を備えており、調整手段は、デジタルカメラのＡＥ機能を利用して、プロジェクタの光源の明るさを自動的に自動調整する手段、およびデジタルカメラのＡＦ機能を利用してプロジェクタのフォーカスを自動調整する手段を備えていることを特徴とする請求項２に記載のデジタルカメラシステム。
【請求項４】
デジタルカメラがデジタルカメラ用クレードルに載せられた状態において、ユーザ操作に基づいて、デジタルカメラの動作モードを、デジタルカメラに記録されている映像をプロジェクタによって投射させるプロジェクタ表示モードに移行させるための手段、およびデジタルカメラの動作モードがプロジェクタ表示モードに移行せしめられたときには、プロジェクタの明るさとフォーカスとを自動調整させる調整手段を備えており、調整手段は、デジタルカメラのＡＦ機能を利用して、プロジェクタの光源の明るさを自動的に自動調整する手段、およびデジタルカメラのＡＦ機能を利用してプロジェクタのフォーカスを自動調整する手段を備えていることを特徴とする請求項２に記載のデジタルカメラシステム。
【請求項５】
デジタルカメラは、
デジタルカメラがデジタルカメラ用クレードルに載せられたことを検出するためのクレードル接続検出器、
クレードル接続検出器によって、デジタルカメラがデジタルカメラ用クレードルに載せられたことが検出されたときに、デジタルカメラをＰＣに接続させて動作させるＰＣ接続モードと、デジタルカメラに記録されている映像をプロジェクタによって投射させるプロジェクタ表示モードとを、ユーザに選択させるためのメニュー画面を表示させる手段、
上記メニュー画面が表示されてから、所定時間内にメニューが選択されなかった場合には、デジタルカメラの動作モードをデジタルカメラを充電させるための充電モードに移行させる手段、
上記メニュー画面が表示されてから、所定時間内にＰＣ接続モードが選択されたときには、デジタルカメラの動作モードをＰＣ接続モードに移行させる手段、および
上記メニュー画面が表示されてから、所定時間内にプロジェクタ表示モードが選択されたときには、プロジェクタの電源をオンさせるとともに、デジタルカメラの動作モードをプロジェクタ表示モードに移行させる手段、
を備えていることを特徴とする請求項２に記載のデジタルカメラシステム。
【請求項６】
デジタルカメラの動作モードがプロジェクタ表示モードに移行せしめられたときには、プロジェクタの明るさとフォーカスとを自動調整させる調整手段を備えており、
調整手段は、デジタルカメラのＡＥ機能を利用して、プロジェクタの光源の明るさを自動的に自動調整する手段、およびデジタルカメラのＡＦ機能を利用してプロジェクタのフォーカスを自動調整する手段を備えていることを特徴とする請求項５に記載のデジタルカメラシステム。
【請求項７】
デジタルカメラの動作モードがプロジェクタ表示モードに移行せしめられたときには、プロジェクタの明るさとフォーカスとを自動調整させる調整手段を備えており、
調整手段は、デジタルカメラのＡＦ機能を利用して、プロジェクタの光源の明るさを自動的に自動調整する手段、およびデジタルカメラのＡＦ機能を利用してプロジェクタのフォーカスを自動調整する手段を備えていることを特徴とする請求項５に記載のデジタルカメラシステム。
【発明の詳細な説明】
【技術分野】
【０００１】
この発明は、デジタルカメラ用クレードルおよびデジタルカメラシステムに関する。
【背景技術】
【０００２】
図１は、従来のデジタルカメラシステムの外観を示している。
【０００３】
デジタルカメラシステムは、デジタルカメラ１と、クレードル（デジタルカメラ用クレードル）２とからなる。クレードル２は、デジタルカメラ１に付属するスタンド型の拡張機器であって、デジタルカメラ１を載せるだけで、デジタルカメラ１をパソコン（ＰＣ）５に接続する機能、デジタルカメラ１をテレビ（ＴＶ）６に接続する機能およびデジタルカメラ１を充電する機能を有している。クレードル２には、ＡＣプラグ３およびＡＣアダプタ４を介してＤＣ電源が供給される。
【０００４】
図２は、従来のデジタルカメラシステムの電気的構成を示している。
デジタルカメラ１の電気的構成について説明する。ＣＣＤ１２は、レンズ１１を通して入射した光学像を光電変換し、電気信号として出力する。ＣＣＤ１２の出力信号は、ＣＤＳ回路とＡＧＣ回路とを備えたＣＤＳ／ＡＧＣ回路１３に送られる。ＣＤＳ／ＡＧＣ回路１３に入力したＣＣＤ１２の出力信号は、ＣＤＳ回路で相関二重サンプリング処理された後、ＡＧＣ回路で最適な振幅にゲイン調整される。ＣＤＳ／ＡＧＣ回路１３の出力信号は、ＡＤＣ回路１４によりデジタル信号に変換されて、カメラ信号処理回路１５を介して、ＭＰＵ１６に送られる。
【０００５】
レンズ１１、ＣＣＤ１２、ＣＤＳ／ＡＧＣ回路１３、ＡＤＣ回路１４およびカメラ信号処理回路１５によって、カメラ機能部３０が構成されている。ＭＰＵ１６は、カメラ機能部３０内のレンズ１１、ＣＤＳ／ＡＧＣ回路１３およびカメラ信号処理回路１５を制御する。記録（撮影）時には、ＭＰＵ１６に送られた映像データは、圧縮／伸長回路１７によって圧縮された後、記録メデイア１８に記録される。再生時には、記録メデイア１８に記録された圧縮映像データが、圧縮／伸長回路１７によって伸長された後、ＭＰＵ１６に送られる。
【０００６】
ＭＰＵ１６は、カメラ信号処理回路１５からＭＰＵ１６に送られた映像データまたは圧縮／伸長回路１７からＭＰＵ１６に送られた映像データを、ＬＣＤドライバ１９を介してＬＣＤモニタ２０に出力することが可能である。また、デジタルカメラ１がクレードル２に載せられている場合には、ＭＰＵ１６は、カメラ信号処理回路１５からＭＰＵ１６に送られた映像データまたは圧縮／伸張回路１７からＭＰＵ１６に送られた映像データを、ＵＳＢドライバ２１およびクレードル２を介してパソコン（ＰＣ）５に出力したり、ビデオドライバ２２およびクレードル２を介して（ＴＶ）６に出力したりすることが可能である。なお、ＭＰＵ１６がＵＳＢドライバ２１およびクレードル２を介してパソコン（ＰＣ）５に接続されている場合には、ＭＰＵ１６とパソコン（ＰＣ）５との間で、通信が可能である。
【０００７】
ＭＰＵ１６には、操作部２３が接続されている。操作部２３には、上下カーソルキー２３ａ，２３ｂ、決定キー２３ｃ等が設けられている。デジタルカメラ１の各部には、電源コントローラ２４から電源が供給される。電源コントローラ２４には、バッテリ２５から電源が供給される。デジタルカメラ１がクレードル２に載せられている場合には、ＡＣアダプタ４、クレードル２および電源コントローラ２４を介して、バッテリ２５に電源が供給され、バッテリ２５が充電される。
【０００８】
従来のデジタルカメラシステムでは、クレードル２を介してデジタルカメラ１をテレビ（ＴＶ）６に接続して、撮像画像をテレビ６に表示させることができるので、撮像画像を大勢で同時に鑑賞することができる。しかしながら、テレビ６が無い場所においては、撮像画像を大勢で同時に鑑賞することができない。
【発明の開示】
【発明が解決しようとする課題】
【０００９】
この発明は、テレビが無い場所においても、撮像画像を大勢で同時に鑑賞することができるようになるデジタルカメラ用クレードルおよびデジタルカメラシステムを提供することを目的とする。
【００１０】
また、この発明は、デジタルカメラ用クレードルにプロジェクタ機能を持たせることにより、テレビが無い場所においても、撮像画像を大勢で同時に鑑賞することができるようになるとともに、デジタルカメラ用クレードルに設けられたプロジェクタの光源の明るさおよびフォーカスを、デジタルカメラの機能を利用して自動的に調整することが可能となるデジタルカメラシステムを提供することを目的とする。
【課題を解決するための手段】
【００１１】
請求項１に記載の発明は、デジタルカメラが載せられた状態でデジタルカメラをＰＣに接続したり、デジタルカメラの充電を行ったりする機能を備えているデジタルカメラ用クレードルにおいて、デジタルカメラ用クレードルにプロジェクタが一体化されており、かつデジタルカメラがデジタルカメラ用クレードルが載せられた状態で、デジタルカメラと上記プロジェクタとを電気的に接続するための回路がデジタルカメラ用クレードルに設けられていることを特徴とする。
【００１２】
請求項２に記載の発明は、デジタルカメラと、デジタルカメラが載せられた状態でデジタルカメラをＰＣに接続したり、デジタルカメラの充電を行ったりする機能を有するデジタルカメラ用クレードルとを備えたデジタルカメラシステムにおいて、デジタルカメラ用クレードルにプロジェクタが一体化されており、かつデジタルカメラがデジタルカメラ用クレードルに載せられた状態で、デジタルカメラと上記プロジェクタとを電気的に接続するための回路がデジタルカメラ用クレードルに設けられていることを特徴とする。
【００１３】
請求項３に記載の発明は、請求項２に記載のデジタルカメラシステムにおいて、デジタルカメラがデジタルカメラ用クレードルに載せられた状態において、ユーザ操作に基づいて、デジタルカメラの動作モードを、デジタルカメラに記録されている映像をプロジェクタによって投射させるプロジェクタ表示モードに移行させるための手段、およびデジタルカメラの動作モードがプロジェクタ表示モードに移行せしめられたときには、プロジェクタの明るさとフォーカスとを自動調整させる調整手段を備えており、調整手段は、デジタルカメラのＡＥ機能を利用して、プロジェクタの光源の明るさを自動的に自動調整する手段、およびデジタルカメラのＡＦ機能を利用してプロジェクタのフォーカスを自動調整する手段を備えていることを特徴とする。
【００１４】
請求項４に記載の発明は、請求項３に記載のデジタルカメラシステムにおいて、デジタルカメラがデジタルカメラ用クレードルに載せられた状態において、ユーザ操作に基づいて、デジタルカメラの動作モードを、デジタルカメラに記録されている映像をプロジェクタによって投射させるプロジェクタ表示モードに移行させるための手段、およびデジタルカメラの動作モードがプロジェクタ表示モードに移行せしめられたときには、プロジェクタの明るさとフォーカスとを自動調整させる調整手段を備えており、調整手段は、デジタルカメラのＡＦ機能を利用して、プロジェクタの光源の明るさを自動的に自動調整する手段、およびデジタルカメラのＡＦ機能を利用してプロジェクタのフォーカスを自動調整する手段を備えていることを特徴とする。
【００１５】
請求項５に記載の発明は、請求項２に記載のデジタルカメラシステムにおいて、デジタルカメラは、デジタルカメラがデジタルカメラ用クレードルに載せられたことを検出するためのクレードル接続検出器、クレードル接続検出器によって、デジタルカメラがデジタルカメラ用クレードルに載せられたことが検出されたときに、デジタルカメラをＰＣに接続させて動作させるＰＣ接続モードと、デジタルカメラに記録されている映像をプロジェクタによって投射させるプロジェクタ表示モードとを、ユーザに選択させるためのメニュー画面を表示させる手段、上記メニュー画面が表示されてから、所定時間内にメニューが選択されなかった場合には、デジタルカメラの動作モードをデジタルカメラを充電させるための充電モードに移行させる手段、上記メニュー画面が表示されてから、所定時間内にＰＣ接続モードが選択されたときには、デジタルカメラの動作モードをＰＣ接続モードに移行させる手段、および上記メニュー画面が表示されてから、所定時間内にプロジェクタ表示モードが選択されたときには、プロジェクタの電源をオンさせるとともに、デジタルカメラの動作モードをプロジェクタ表示モードに移行させる手段を備えていることを特徴とする。
【００１６】
請求項６に記載の発明は、請求項５に記載のデジタルカメラシステムにおいて、デジタルカメラの動作モードがプロジェクタ表示モードに移行せしめられたときには、プロジェクタの明るさとフォーカスとを自動調整させる調整手段を備えており、調整手段は、デジタルカメラのＡＥ機能を利用して、プロジェクタの光源の明るさを自動的に自動調整する手段、およびデジタルカメラのＡＦ機能を利用してプロジェクタのフォーカスを自動調整する手段を備えていることを特徴とする。
【００１７】
請求項７に記載の発明は、請求項５に記載のデジタルカメラシステムにおいて、デジタルカメラの動作モードがプロジェクタ表示モードに移行せしめられたときには、プロジェクタの明るさとフォーカスとを自動調整させる調整手段を備えており、調整手段は、デジタルカメラのＡＦ機能を利用して、プロジェクタの光源の明るさを自動的に自動調整する手段、およびデジタルカメラのＡＦ機能を利用してプロジェクタのフォーカスを自動調整する手段を備えていることを特徴とする。
【発明の効果】
【００１８】
この発明によれば、テレビが無い場所においても、撮像画像を大勢で同時に鑑賞することができるようになる。
【００１９】
また、この発明によれば、デジタルカメラ用クレードルにプロジェクタ機能を持たせることにより、テレビが無い場所においても、撮像画像を大勢で同時に鑑賞することができるようになるとともに、デジタルカメラ用クレードルに設けられたプロジェクタの光源の明るさおよびフォーカスを、デジタルカメラの機能を利用して自動的に調整することが可能となる。
【発明を実施するための最良の形態】
【００２０】
以下、図面を参照して、この発明の実施例について説明する。
【実施例１】
【００２１】
図３は、デジタルカメラシステムの外観を示している。
【００２２】
デジタルカメラシステムは、デジタルカメラ１Ａと、クレードル２Ａとからなる。クレードル２Ａは、デジタルカメラ１Ａを載せることによって、デジタルカメラ１Ａをパソコン（ＰＣ）５に接続する機能、デジタルカメラ１Ａをテレビ（ＴＶ）６に接続する機能およびデジタルカメラ１Ａを充電する機能を有している。また、クレードル２Ａには、デジタルカメラ１Ａに記録されている撮像映像を投射するためのプロジェクタが一体化されている。クレードル２Ａには、ＡＣプラグ３およびＡＣアダプタ４を介してＤＣ電源が供給される。
【００２３】
図４は、デジタルカメラシステムの電気的構成を示している。図４において、図２と同じものには、同じ符号を付して、その説明を省略する。
【００２４】
デジタルカメラ１Ａには、従来のデジタルカメラ１（図２参照）に比べて、クレードル２Ａに設けられたプロジェクタのために用意されたプロジェクタドライバ（ＰＪドライバ）２６と、デジタルカメラ１Ａがクレードル２Ａに載せられていることを検出するためのクレードル接続検出スイッチ２７とが追加されている。クレードル接続検出スイッチ２７としては、例えば、リミットスイッチ等が用いられる。
【００２５】
クレードル２Ａには、従来のクレードル２（図２参照）に比べて、プロジェクタ４０およびＡＣアダプタ４をプロジェクタ４０に接続するための回路が追加されている。さらに、クレードル２Ａには、デジタルカメラ１Ａがクレードル２Ａに載せられている場合に、デジタルカメラ１Ａのプロジェクタドライバ２６をプロジェクタ４０に接続するための回路が追加されている。
【００２６】
デジタルカメラ１Ａがクレードル２Ａに載せられている場合には、ＭＰＵ１６は、カメラ信号処理回路１５からＭＰＵ１６に送られた映像データまたは圧縮／伸長回路１７からＭＰＵ１６に送られた映像データを、プロジェクタドライバ２６およびクレードル２Ａを介してプロジェクタ４０に出力することが可能である。
【００２７】
プロジェクタ４０は、プロジェクタ回路４１、光源４２、ＬＣＤパネル４３およびレンズ４４を備えている。光源４２としては、この例では、複数のＬＥＤ（ＬＥＤ群）からなるＬＥＤ光源が用いられている。プロジェクタ回路４１は、デジタルカメラ１Ａから送られてくる映像信号に対して所定の映像処理を行った後に、ＬＣＤパネル４３に映像を書き込む。ＬＣＤパネル４３に書き込まれた映像は、光源４２によってＬＣＤパネル４３に光が照射されることにより、レンズ４４を介して壁等のスクリーン上に投影される。
【００２８】
なお、クレードル２Ａにデジタルカメラ１Ａが載せられた状態では、図５に示すように、クレードル２Ａに設けられたプロジェクタ４０の映像投射方向と、デジタルカメラ１Ａの撮像方向とが同じ向きとなるように、クレードル２Ａが設計されている。
【００２９】
図６は、デジタルカメラ１Ａがクレードル２Ａに載せられた場合に、デジタルカメラ１Ａによって実行される処理の手順を示している。
【００３０】
デジタルカメラ１Ａがクレードル２Ａに載せられると、クレードル接続検出スイッチ２７がオンとなる。クレードル接続検出スイッチ２７がオンとなると（ステップＳ１）、ＭＰＵ１６は、ＬＣＤモニタ２０に、図７に示すような、メインメニューを表示させる（ステップＳ２）。このメインメニューには、「パソコンに接続」、「テレビに接続」および「プロジェクタに表示」の３つの選択項目が表示される。  
【００３１】
ユーザは、選択項目のいずれかを実行させたい場合には、つまり、メニューを決定したい場合には、操作部２３上の上下カーソルキー２３ａ，２３ｂで所望の選択項目を選択した後、決定キー２３ｃを押す。
【００３２】
メインメニューを表示した後、所定時間内にメニューが決定されなかった場合には（ステップＳ３でＮＯかつステップＳ４でＹＥＳ）、プロジェクタ４０の電源がオン状態であれば、プロジェクタ４０の電源をオフした後（ステップＳ５）、動作モードがバッテリ２５を充電させる充電モードに設定される（ステップＳ６）。そして、ステップＳ７に移行し、デジタルカメラ１Ａを充電モードで動作させる。ステップＳ７の処理中に、操作部に設けられたメニューボタン（図示略）が操作された場合には、ステップＳ２に戻る。
【００３３】
ステップＳ２でメインメニューが表示された後、所定時間が経過する前にメニューが決定された場合（ステップＳ３でＹＥＳ）について説明する。「パソコンに接続」のメニューが選択された場合には（ステップＳ８）、プロジェクタ４０の電源がオン状態であれば、プロジェクタ４０の電源をオフした後（ステップＳ９）、ステップＳ７に移行する。この場合には、ステップＳ７において、デジタルカメラ１Ａをパソコン接続モードで動作させる。ステップＳ７の処理中に、操作部に設けられたメニューボタン（図示略）が操作された場合には、ステップＳ２に戻る。
【００３４】
「テレビに接続」のメニューが選択された場合には（ステップＳ１０）、プロジェクタ４０の電源がオン状態であれば、プロジェクタ４０の電源をオフした後（ステップＳ１１）、ステップＳ７に移行する。この場合には、ステップＳ７において、デジタルカメラ１Ａをテレビ接続モードで動作させる。ステップＳ７の処理中に、操作部に設けられたメニューボタン（図示略）が操作された場合には、ステップＳ２に戻る。
【００３５】
「プロジェクタに表示」のメニューが選択された場合には（ステップＳ１２）、プロジェクタ４０の電源をオンさせた後（ステップＳ１３）、動作モードをプロジェクタ表示モードに設定する（ステップＳ１４）。そして、ステップＳ７に移行し、デジタルカメラ１Ａをプロジェクタ表示モードで動作させる。プロジェクタ表示モードにおいては、デジタルカメラ１Ａによって記録されている撮像映像をプロジェクタ４０によって投影させることができる。ステップＳ７の処理中に、操作部に設けられたメニューボタン（図示略）が操作された場合には、ステップＳ２に戻る。
【００３６】
図８は、上記ステップＳ１４において、動作モードがプロジェクタ表示モードに設定された場合の処理手順を示している。
【００３７】
この処理の特徴は、プロジェクタ４０によって撮像映像を投影させる前に、デジタルカメラ１ＡのＡＥ機能を利用してプロジェクタ４０の光源の明るさを自動調整するとともに、デジタルカメラ１ＡのＡＦ機能を利用してプロジェクタ４０のフォーカスを自動調整することにある。
【００３８】
動作モードがプロジェクタ表示モードに設定されると、デジタルカメラ１Ａのカメラ機能部３０をオンさせるとともに、画像出力はオフとする（ステップＳ２１）。デジタルカメラ１Ａがクレードル２Ａに載せられて、カメラ機能部３０がオンの時は、常時ＡＥが動作しており、ＡＥ評価値（一般的には撮像画像の平均輝度が使用される）が所定の目標値になるように、ＡＥ情報（カメラレンズ絞りおよび露光時間（シャッタ速度））が調整される。次に、デジタルカメラ１ＡのＡＥ情報に基づいてスクリーンの明るさを計測し、プロジェクタによる白画像投射時の目標ＡＥ情報を計算する（ステップＳ２２）。
【００３９】
つまり、黒画像投射時（プロジェクタ４０によって映像を投射していない時）のＡＥ情報（スクリーンの明るさに対応した情報）と、プロジェクタ４０に必要なコントラスト（定数）とから、白画像投射時の目標ＡＥ情報（目標輝度）を計算する。
【００４０】
次に、全白１００％の画像をプロジェクタ４０から出力（投射）させ、デジタルカメラ１ＡのＡＥ情報が、目標ＡＥ情報となるように、プロジェクタ４０の輝度を調整する（ステップＳ２３）。プロジェクタ４０の輝度調整は、光源４２を構成するＬＥＤ群に流す電流またはＬＥＤ群の点灯数を制御する。以上により、プロジェクタ４０の光源の明るさの自動調整が完了する。
【００４１】
次に、プロジェクタ４０のフォーカスの粗調整を行う。つまり、まず、プロジェクタのフォーカス調整用の画像をプロジェクタ４０から出力（投射）させ、デジタルカメラ１ＡのＡＦ評価値がＭａｘとなるように、デジタルカメラ１Ａのフォーカスを調整した後、デジタルカメラ１ＡのＡＦを一旦ロックさせる（ステップＳ２４）。
【００４２】
プロジェクタのフォーカス調整用の画像としては、たとえば、クロスハッチ画像が用いられる。デジタルカメラ１ＡのＡＦ評価値とは、デジタルカメラ１Ａのオートフォーカスを行うための評価値であり、一般的には、撮像画像中の高域成分の積算値が使用される。ＡＦ調整では、この評価値がＭａｘとなるように、デジタルカメラ１Ａのフォーカスリングを動かし、カメラレンズのフォーカスを合焦させる。そして、デジタルカメラ１ＡのＡＦをロックさせる。
【００４３】
なお、この時点では、プロジェクタ４０のフォーカスが調整されていないので、デジタルカメラ１ＡのＡＦによる被写体距離と、プロジェクタ４０のスクリーン距離とは一致していない可能性がある。
【００４４】
この後、プロジェクタ４０のフォーカス位置を、デジタルカメラ１ＡのＡＥ評価値がＭａｘとなるように調整する（ステップＳ２５）。
【００４５】
次に、プロジェクタ４０のフォーカスの微調整を行う。つまり、まず、デジタルカメラ１ＡのＡＦロックを解除し、再度、デジタルカメラ１ＡのＡＦ評価値がＭａｘとなるようにデジタルカメラ１Ａのフォーカスを調整した後、デジタルカメラ１ＡのＡＦを一旦ロックさせる（ステップＳ２６）。このとき、デジタルカメラ１ＡのＡＦによる被写体距離と、プロジェクタ４０のスクリーン距離とは、ほぼ合致すると見込まれる。
【００４６】
この状態で、プロジェクタ４０のフォーカス位置を、デジタルカメラ１ＡのＡＥ評価値がＭａｘとなるように調整する（ステップＳ２７）。
【００４７】
以上のようにして、プロジェクタ４０の光源の明るさとフォーカスとを調整した後、プロジェクタ４０を用いた画像表示処理を行う（ステップＳ２８）。この画像表示処理では、ユーザに表示すべき画像を選択させ、選択された画像をプロジェクタ４０に出力する。      
【００４８】
なお、プロジェクタ４０の光源の明るさを、デジタルカメラ１ＡのＡＦ機能によって得られる被写体距離（レンズのフォーカス位置から推測される被写体距離）に基づいて、調整するようにしてもよい。つまり、被写体距離はプロジェクタ４０からスクリーンまでの距離とほぼ等しいので、被写体距離が長いほど、プロジェクタ４０の光源の明るさが高くなるように、プロジェクタ４０の光源の明るさを制御する。
【００４９】
図９は、デジタルカメラシステムの変形例を示している。図９において、図４と同じものには、同じ符号を付して、その説明を省略する。
【００５０】
このデジタルカメラシステムでは、デジタルカメラ１Ｂ内のビデオドライバ２２を、プロジェクタドライバとしても用いるようにしている。このため、デジタルカメラ１Ｂには、プロジェクタドライバ（ＰＪドライバ）が省略されている。
【００５１】
クレードル２Ｂには、ビデオドライバ２２からの信号を、テレビ（ＴＶ）６に送るか、プロジェクタ４０に送るかを切り替えるための切り替え回路５０が設けられている。この切り替え回路５０は、クレードル２Ｂにテレビ（ＴＶ）６へのビデオケーブルが接続されている場合にはビデオドライバ２２をテレビ（ＴＶ）に接続し、クレードル２Ｂにテレビ（ＴＶ）６へのビデオケーブルが接続されていない場合にはビデオドライバ２２をプロジェクタ４０に接続するように、制御される。
【図面の簡単な説明】
【００５２】
【図１】従来のデジタルカメラシステムの外観を示す模式図である。
【図２】従来のデジタルカメラシステムの電気的構成を示すブロック図である。
【図３】デジタルカメラシステムの外観を示す模式図である。
【図４】デジタルカメラシステムの電気的構成を示すブロック図である。
【図５】クレードル２Ａにデジタルカメラ１Ａが載せられた状態におれる、プロジェクタ４０の映像投射方向と、デジタルカメラ１Ａの撮像方向とを示す側面図である。
【図６】デジタルカメラ１Ａがクレードル２Ａに載せられた場合に、デジタルカメラ１Ａによって実行される処理の手順を示すフローチャートである。
【図７】メインメニュー画面の一例を示す模式図である。
【図８】図６の上記ステップＳ１４において、動作モードがプロジェクタ表示モードに設定された場合の処理手順を示すフローチャートである。
【図９】デジタルカメラシステムの変形例を示すブロック図である。
【符号の説明】
【００５３】
１Ａ，１Ｂ  デジタルカメラ
２Ａ，２Ｂ  クレードル
１１  レンズ
１２  ＣＣＤ
１３  ＣＤＳ／ＡＧＣ回路
１４  ＡＤＣ回路
１５  カメラ信号処理回路
１６  ＭＰＵ
１７  圧縮／伸長回路
１８  記録メディア
２２  ビデオドライバ
２６  プロジェクタドライバ
２７  クレードル接続検出スイッチ
３０  カメラ機能部
４０  プロジェクタ
【図１】
2006042000.tif 000003
【図２】
2006042000.tif 000004
【図３】
2006042000.tif 000005
【図４】
2006042000.tif 000006
【図５】
2006042000.tif 000007
【図６】
2006042000.tif 000008
【図７】
2006042000.tif 000009
【図８】
2006042000.tif 000010
【図９】
2006042000.tif 000011